(57)【要約】【課題】部屋の天井等に略水平状態に取り付ける照明装置において、長尺の管体内に長尺のＬＥＤ基板が取り付けられるものでは、管体が長くなればなるほど、長尺のＬＥＤ基板が必要となり、このような長尺のＬＥＤ基板を作製することはコストアップに繋がり、好ましくない。本発明は、これを解決すると共に、基板相互の接合強度がアップする技術を提供するものである。【解決手段】複数の単位基板の接合によって長尺帯板状のＬＥＤ基板を構成し、接合される単位基板相互の一方の単位基板には接合端部へ連通する入り口開口が奥部よりも狭い接合孔を備え、他方の単位基板には前記接合孔に圧入嵌合する接合突起を備え、接合孔と接合突起との嵌合により単位基板相互が接合され、この接合状態において単位基板相互が電気回路接続されたこと。【選択図】図３
2012033321.tif 000002
【特許請求の範囲】
【請求項１】
多数のＬＥＤを照明側面に配置した長尺のＬＥＤ基板が合成樹脂製管体内の長手方向に
延在するよう収納され、ソケット部に嵌合装着される端子部を備えた端部キャップが前記
管体の左右両端に取り付けられ、前記端子部を通して前記ＬＥＤへ電力が供給されるＬＥ
Ｄ照明装置において、
前記ＬＥＤ基板は、複数の単位基板の接合端部の接合によって長尺帯板状のＬＥＤ基板
を構成し、接合される単位基板相互の一方の単位基板には前記接合端部へ連通する入り口
開口が奥部よりも狭い接合孔を備え、他方の単位基板には前記接合孔に嵌合する接合突起
を備え、前記接合孔と前記接合突起との嵌合により前記単位基板相互が接合され、この接
合状態において前記単位基板相互が電気回路接続されたことを特徴とするＬＥＤ照明装置
。
【請求項２】
前記各単位基板は配線パターンを形成する導電箔が前記接合端部面まで形成されており
、前記接合端部面まで形成された導電箔部分での半田付けにより、前記単位基板相互の電
気回路接続がされたことを特徴とする請求項１に記載のＬＥＤ照明装置。
【発明の詳細な説明】
【技術分野】
【０００１】
本発明は、多数のＬＥＤ（発光ダイオード）を配置した長尺帯板状の基板が長尺管体内
に収納されたＬＥＤ照明装置に関し、特に、複数の単位基板の接続によって長尺帯板状の
基板を構成する場合の単位基板相互の接続技術に関する。
【背景技術】
【０００２】
透明プラスチックの円筒パイプ２内に、多数のＬＥＤ９を配置した長尺の支持板３（Ｌ
ＥＤ基板）が水平に取り付けられ、この支持板３の両端にそれぞれ２本の端子４、４が接
続され、円筒パイプ２の両端を塞ぐベースキャップ５、５から端子４、４が突設されたも
のがある（特許文献１参照）。
【先行技術文献】
【特許文献】
【０００３】
【特許文献１】特開２００１−３５１４０２号公報
【発明の概要】
【発明が解決しようとする課題】
【０００４】
特許文献１のものは、長尺のＬＥＤ基板が円筒パイプ内に取り付けられたものであるた
め、円筒パイプが長くなればなるほど、長尺のＬＥＤ基板が必要となり、このような長尺
の基板を作製することはコストアップに繋がり、好ましくない。
【０００５】
本願発明に至る前の先行技術のＬＥＤ照明装置１として、図８及び図９に示すものがあ
る。これは、多数の白色ＬＥＤ（発光ダイオード）２を配置した長尺のＬＥＤ基板３が少
なくとも一部が透光性である直管形管体４内の長手方向（管体４の長軸方向）に延在する
よう収納され、従来使用されている直管形蛍光灯照明装置等のソケット部（図示せず）に
嵌合装着される端子部５を備えた端部キャップ６が管体４の左右両端に取り付けられ、端
子部５に半田付けされたリード線７を介してＬＥＤ２へ所定の電力が供給され、ＬＥＤ２
が発光するものがある。
【０００６】
この場合、ＬＥＤ基板３は、複数の単位基板Ａ、Ｂ、Ｃの接合ＳＳによって長尺帯板状
のＬＥＤ基板３を構成する方法が採用されるが、この場合、単位基板Ａ、Ｂ、Ｃ相互の接
合ＳＳを維持すると共に、単位基板Ａ、Ｂ、ＣのＬＥＤ２の電気回路の接続のために、ジ
ャンパー線Ｊによって単位基板Ａ、Ｂ、Ｃを接合ＳＳした後、ジャンパー線Ｊの部分を半
田付けＨして、単位基板Ａ、Ｂ、Ｃ相互の電気的接続を確保する方法が採られていた。
【０００７】
この方法で接続した場合は、管体４へこの接合されたＬＥＤ基板３を収納する際に、単
位基板Ａ、Ｂ、Ｃ相互が引っ張られる際に、この接合ＳＳ箇所が離れて、ジャンパー線Ｊ
の半田付けＨの箇所が剥がれたり切れたり等すれば、電気的支障が生じる事態が発生する
こととなる。
【０００８】
また、単位基板Ａ、Ｂ、Ｃ相互の電気回路に亘るジャンパー線Ｊを半田付けＨする際に
は、単位基板Ａ、Ｂ、Ｃ相互を接合ＳＳの方向へ押し付けつつジャンパー線Ｊを取り付け
、その状態で半田付けＨの作業を行なう必要があるため、かなり面倒な作業となる。
【０００９】
本発明は、このような点に鑑み、単位基板Ａ、Ｂ、Ｃ相互の接合ＳＳの状態が維持され
ると共に、単位基板Ａ、Ｂ、Ｃ相互の電気回路が確保される技術を提供するものである。
【００１０】
また、従来使用されていたジャンパー線Ｊによる接続を止めた場合でも、単位基板Ａ、
Ｂ、Ｃ相互の接合状態が維持されると共に、単位基板Ａ、Ｂ、Ｃ相互の電気回路が確保さ
れる技術を提供するものである。
【課題を解決するための手段】
【００１１】
第１発明は、多数のＬＥＤを照明側面に配置した長尺のＬＥＤ基板が合成樹脂製管体内
の長手方向に延在するよう収納され、ソケット部に嵌合装着される端子部を備えた端部キ
ャップが前記管体の左右両端に取り付けられ、前記端子部を通して前記ＬＥＤへ電力が供
給されるＬＥＤ照明装置において、
前記ＬＥＤ基板は、複数の単位基板の接合端部の接合によって長尺帯板状のＬＥＤ基板
を構成し、接合される単位基板相互の一方の単位基板には前記接合端部へ連通する入り口
開口が奥部よりも狭い接合孔を備え、他方の単位基板には前記接合孔に嵌合する接合突起
を備え、前記接合孔と前記接合突起との嵌合により前記単位基板相互が接合され、この接
合状態において前記単位基板相互が電気回路接続されたことを特徴とする。
【００１２】
第２発明は、第１発明において、前記各単位基板は配線パターンを形成する導電箔が前
記接合端部の面まで形成されており、前記接合端部面まで形成された導電箔部分での半田
付けにより、前記単位基板相互の電気回路接続がされたことを特徴とする。
【発明の効果】
【００１３】
第１発明によって、単位基板相互は、接合孔と接合突起の嵌合によって、分離し難い状
態の接合状態を維持できるため、単位基板相互の電気回路を接続する場合の作業が容易に
なるのみならず、接合箇所が離れて半田付け箇所が剥がれたり切れたり等する虞もなく、
単位基板相互の電気回路の維持が向上する。
【００１４】
第２発明は、第１発明の効果に加えて、単位基板相互の電気回路接続は、接合端部の面
まで形成された導電箔部分において、直接半田付けにて接続することができるものとなる
ため、単位基板相互の接合部分の強度を高める効果が得られる。また、これによって、従
来使用していたジャンパー線を廃止することも可能となる。
【図面の簡単な説明】
【００１５】
【図１】本発明に係るＬＥＤ照明装置の管体内に収納した基板の状態説明図である。
【図２】図１のＹ方向から見た管体内に収納したＬＥＤ基板の状態説明図である。
【図３】本発明に係る単位基板相互の接続手段としての接合孔と接合突起との関係が台形状楔の場合の説明図である。
【図４】本発明に係る単位基板相互の接続手段としての接合孔と接合突起との関係が丸形楔の場合の説明図である。
【図５】本発明に係るＬＥＤ照明装置の端部キャップと管体との関係を示す断面図である。
【図６】図５のＡ−Ａ断面図である。
【図７】本発明に係るＬＥＤ照明装置の端部キャップ、ＬＥＤ基板及び管体の関係を示す分解斜視図である。
【図８】先行技術に係る単位基板が接続されてＬＥＤ基板を構成した状態を示す説明図である。
【図９】図８の単位基板相互の接続箇所の断面図である。
【発明を実施するための形態】
【００１６】
本発明は、多数のＬＥＤを照明側面に配置した長尺のＬＥＤ基板が合成樹脂製管体内の
長手方向に延在するよう収納され、ソケット部に嵌合装着される端子部を備えた端部キャ
ップが前記管体の左右両端に取り付けられ、前記端子部を通して前記ＬＥＤへ電力が供給
されるＬＥＤ照明装置において、
前記ＬＥＤ基板は、複数の単位基板の接合端部の接合によって長尺帯板状のＬＥＤ基板
を構成し、接合される単位基板相互の一方の単位基板には前記接合端部へ連通する入り口
開口が奥部よりも狭い接合孔を備え、他方の単位基板には前記接合孔に嵌合する接合突起
を備え、前記接合孔と前記接合突起との嵌合により前記単位基板相互が接合され、この接
合状態において前記単位基板相互が電気回路接続されたものであり、以下に本発明の実施
例を記載する。
【実施例１】
【００１７】
本発明に係るＬＥＤ照明装置１は、従来使用されている直管形蛍光灯照明装置の直管形
蛍光灯に代わって、そのソケット（図示せず）に取り付けられるものであるが、これに限
定されず、本発明に係るＬＥＤ照明装置１を取り付ける専用のソケットを備える照明器具
にも適用可能な照明装置となるものである。
【００１８】
以下に本発明に係るＬＥＤ照明装置１を図に基づき説明する。ＬＥＤ照明装置１は、多
数の白色ＬＥＤ（発光ダイオード）２を配置した長尺のＬＥＤ基板３が少なくとも一部が
透光性である直管形管体４内の長手方向（管体４の長軸方向）に延在するよう収納され、
従来使用されている直管形蛍光灯照明装置等のソケット部（図示せず）に嵌合装着される
端子部５を備えた端部キャップ６が管体４の左右両端に取り付けられ、端子部５に半田付
けされたリード線７を介してＬＥＤ２へ所定の電力が供給され、ＬＥＤ２が発光するもの
である。
【００１９】
ＬＥＤ照明装置１は、例えば、部屋の天井等に配置された直管形蛍光灯照明装置等のソ
ケット部（図示せず）に装着して、管体４が略水平状態に支持されるものであり、この状
態で、照明側面３Ｐが下側に向き、下方を照明するものである。
【００２０】
管体４内には、ＬＥＤ基板３の他にＬＥＤ駆動用回路基板８が収納されている。ＬＥＤ
基板３は平板状の合成樹脂製であり、その片側面（図２では下側面）が照明側面３Ｐとな
るように多数のＬＥＤ２が配置されており、照明側面３Ｐの反対側となる他方側面（裏面
）には、ＬＥＤ２へ電力供給する電気回路素子を取り付けた平板状のＬＥＤ駆動用回路基
板８が、ＬＥＤ基板３と並行状態にＬＥＤ基板３の裏側（図２では上側）に取り付けられ
ている。実施例では図１に示すように、ＬＥＤ照明装置１は、部屋の天井部分等に取り付
けられて下方を照明するものであり、ＬＥＤ基板３の下側面が照明側面３Ｐとなるように
配置された構成である。
【００２１】
ＬＥＤ基板３の照明側面３Ｐには、一列に電気的に直列接続された多数のＬＥＤ２が直
線状に配列される状態でもって、複数列に配置されている。図示のものは、全部で３０６
個のＬＥＤ２が３列に所定間隔でもって配置されている。実施例で示すＬＥＤ照明装置１
は、長さＬが略１２００ｍｍであり、この長さに対応する長さのＬＥＤ基板３を１枚の基
板で形成することは、コスト的にもアップするため、実施例では３枚の単位基板Ａ、Ｂ、
Ｃが直列接続されてＬＥＤ基板３を構成している。このため、単位基板Ａ、Ｂ、Ｃにはそ
れぞれ１列３４個のＬＥＤ２が３列に所定間隔でもって配置された状態であり、単位基板
Ａ、Ｂ、Ｃの各列のＬＥＤ２は、電気的に直列接続されて、全体として３０６個のＬＥＤ
２が３列構成である。
【００２２】
図１に示す管体４は、ＬＥＤ２の発光の有効透過のために、図７に示すように、略ＬＥ
Ｄ基板３に対応する位置ＰＬから上方領域４Ｕを不透明とし、略ＬＥＤ基板３に対応する
位置ＰＬから下方領域４Ｄが、透明または半透明（着色または乳白色を含む）になった透
光性をなすように、合成樹脂材の押し出し成形または引き抜き成形で形成された円筒状ま
たはそれに近い筒状である。平坦な照明側面３Ｐに取り付けたＬＥＤ２の発光による照射
角度は、略１２０度であるため、平坦な照明側面３Ｐに取り付けた３列の両端の各列のＬ
ＥＤ２の光の照射角度、及び管体４での反射光を考慮すれば、管体４は、略ＬＥＤ基板３
に対応する位置の下方領域４Ｄが透光性をなす構成とすればよい。なお、上方領域４Ｕを
不透明とすれば、ＬＥＤ基板３よりも上方にあるＬＥＤ駆動用回路基板８、及びそれに取
り付けられた電気回路素子が外部から見えない状態となり、外観上好ましい形態となる。
【００２３】
管体４の両端部に取り付けた端部キャップ６の端子部５は、それぞれ２本のピンを備え
たものであるが、これは従来使用されている直管形蛍光灯照明装置のソケット部（図示せ
ず）に嵌合装着されるための構成となっているためである。
【００２４】
図６に示すように、端部キャップ６は、円筒状の管体４に合わせるために、電気絶縁材
である合成樹脂材でもって円筒状に形成されている。端子部５は、電気絶縁材の端子支持
部材１４に取り付けられた状態で、端子側プラグ１１Ｂを備えたリード線７の一端と半田
付けにて接続される。図６に示すように、端部キャップ６への端子支持部材１４の取り付
けは、端子支持部材１４の延長部が端部キャップ６の外側端の環状取り付け部６Ａに当接
する状態で、端子支持部材１４と一体に組み合わせたカップ状の金属製外観部材１４Ａが
、環状取り付け部６Ａの外面に接着にて行なわれる。
【００２５】
ＬＥＤ照明装置１の両端の端子部５へ供給される商用交流電力ＡＣによって、ＬＥＤ２
が発光するようにするために、ＬＥＤ２へ電力供給する電気回路素子を取り付けたＬＥＤ
駆動用回路基板８が設けられている。ＬＥＤ基板３及びＬＥＤ駆動用回路基板８には、左
右の端子部５に接続されたリード線７側の端子側プラグ１１Ｂと接続される基板側プラグ
１１Ａが取り付けられている。これらの基板側プラグ１１Ａと端子側プラグ１１Ｂが接続
された状態で、左右の端子部５からリード線７を介して商用交流電力ＡＣが、ＬＥＤ駆動
用回路基板８の電気回路素子に供給される配線となっている。この電気回路素子として、
ＬＥＤ駆動用回路基板８には、この左右の端子部５からリード線７を介して供給される商
用交流電力ＡＣを整流して所定の直流ＤＣとするための整流回路を含むＡＣ／ＤＣ変換回
路部９と、ＡＣ／ＤＣ変換回路部９から供給される直流ＤＣを所定電圧としてＬＥＤ２に
供給する電圧制御部１０を備えている。
【００２６】
図５〜図７に示すように、ＬＥＤ基板３を円筒状の管体４内に支持するために、円筒状
の管体４の内面対向位置には、管体４の長さ方向（管４の軸方向）へ延びた相対向する一
対の支持溝４Ａが、管体４の形成と同時に形成されている。一対の支持溝４Ａは、それぞ
れ管体４の長さ方向（管４の軸方向）へ延びた対向する一対のリブ４Ｂ、４Ｂ間に形成さ
れており、一対のリブ４Ｂ、４Ｂの間隔は、ＬＥＤ基板３の厚さよりも若干大きい寸法の
間隔を存して、管体４の成形と同時に、管体４の全長に亘って形成されている。ＬＥＤ基
板３は、管体４の開口端から一対の支持溝４Ａに挿入され支持される。
【００２７】
ＬＥＤ駆動用回路基板８を裏側に取り付けたＬＥＤ基板３は、図７に示すように、管体
４の一端開口からＬＥＤ基板３の長手方向に沿った両端部３Ａを管体４内の一対の支持溝
４Ａにスライドにて挿入し、ＬＥＤ基板３を管体４内に収納する。この収納状態において
、端部キャップ６の環状取り付け部６Ｂを管体４の左右の開口端部に挿入し、管体４の左
右の開口端部が端部キャップ６の環状フランジ６Ｃに当接した位置に端部キャップ６が取
り付けられる。この取り付けを達成するために、端部キャップ６の環状取り付け部６Ｂに
は、一対のリブ４Ｂ、４Ｂが挿入される切り欠き６Ｄが形成されている。
【００２８】
管体４の左右の開口端部への端部キャップ６の取り付けにおいて、管体４内の一対の支
持溝４Ａに挿入支持されたＬＥＤ基板３が、管体４内の所定位置に収まり位置決めされる
ようにするために、切り欠き６Ｄの中央部には、基板ストッパ部６Ｅが端部キャップ６に
形成されている。これによって、管体４の左右の開口端部への端部キャップ６の取り付け
によって、ＬＥＤ基板３が管体４の左右のいずれかの方向へずれておれば、図６に示すよ
うに、ＬＥＤ基板３の長尺方向の端部３Ｂが基板ストッパ部６Ｅに当接して、ＬＥＤ基板
３が管体４の左右の中央位置へ位置決めされる状態となる。この位置決めは、ＬＥＤ２の
発光が、管体４の全長から均一に得られるようにするために有効である。
【００２９】
図５及び図６に示すように、端部キャップ６の内側には、環状取り付け部６Ｂで囲まれ
た内方領域には、環状取り付け部６Ｂから突出しない範囲で、リード線７の途中を屈曲係
止する係止部１５を備え、この屈曲係止によってリード線７と端子部５との半田付け箇所
へ掛かるリード線７の引っ張りや撓み等の作用力を吸収するようにしている。
【００３０】
係止部１５は、向かい合った一対の第１係止部１５Ａ、１５Ａと、第２係止部１５Ｂ、
１５Ｂによって構成している。第１係止部１５Ａ、１５Ａは、端部キャップ６内の内外隔
壁１６に形成した孔１６Ａの端部で形成され、この孔１６Ａに臨むように第２係止部１５
Ｂ、１５Ｂが形成されている。このため、端子部５から延びた２本のリード線７は、それ
ぞれ孔１６Ａの近傍で内外隔壁１６を貫通して第２係止部１５Ｂ、１５Ｂに係止するよう
に屈曲した後、端子側プラグ１１Ｂへ延びる。この状態で、２本のリード線７はそれぞれ
第１係止部１５Ａ、１５Ａに係止すると共に孔１６Ａに一部が侵入する状態で、第２係止
部１５Ｂ、１５Ｂに係止した状態となる。第１係止部１５Ａ、１５Ａと、第２係止部１５
Ｂ、１５Ｂへのリード線７の係止は、第２係止部１５Ｂ、１５Ｂ間からリード線７を屈曲
させつつ挿入係止することによって達成できる。
【００３１】
リード線７は、第２係止部１５Ｂ、１５Ｂ間からリード線７を図６のように屈曲させつ
つ、第１係止部１５Ａ、１５Ａと、第２係止部１５Ｂ、１５Ｂへ挿入係止することによっ
て、リード線７の係止が達成できる。
【００３２】
上記のように構成される長尺のＬＥＤ基板３は、長尺の管体４内の一対の支持溝４Ａに
支持されるが、管体４が長くなればなるほど、長尺のＬＥＤ基板３が必要となり、このよ
うな長尺のＬＥＤ基板３を作製することはコストアップに繋がり、好ましくない。これを
解決するために、本発明は、複数の単位基板の接合によって長尺帯板状のＬＥＤ基板３を
構成する。以下に、単位基板をＡ、Ｂ、Ｃの３枚で構成した実施例の具体的な構成を説明
する。
【００３３】
ＬＥＤ基板３は、複数の単位基板Ａ、Ｂ、Ｃの接合によって長尺帯板状のＬＥＤ基板３
が構成され、接合される単位基板（例えばＡ、Ｂとする）相互の一方の単位基板（例えば
Ａ）には接合端部へ連通開口した入り口開口Ｅが奥部Ｆよりも狭い接合孔Ｇを備え、他方
の単位基板（例えばＢ）には、接合孔Ｇに圧入嵌合する接合突起Ｍを備えている。単位基
板（例えばＡ、Ｂとする）相互の接続手段としての接合孔Ｇと接合突起Ｍとして、図３に
は、台形状楔の形態を示しており、図４には、丸形楔の形態を示している。
【００３４】
このように形成された状態で、一方の単位基板（例えばＡ）の接合孔Ｇに対して、他方
の単位基板（例えばＢ）の接合突起Ｍを上方から重ねるように対応させた状態で、接合突
起Ｍを接合孔Ｇに指で押し圧して押し込む。これによって接合突起Ｍと接合孔Ｇが嵌合し
、一方の単位基板（例えばＡ）の接合端部面ＴＭと、他方の単位基板（例えばＢ）の接合
端部面ＴＭが接触状態となり、一方の単位基板（例えばＡ）と他方の単位基板（例えばＢ
）が接合される。
【００３５】
この接合状態において、一方の単位基板（例えばＡ）の各列のＬＥＤ２の配線パターン
の導電箔ＤＨと、他方の単位基板（例えばＢ）の各列のＬＥＤ２の配線パターンの導電箔
ＤＨとが、電気的に接続される。この電気的接続は、図９に示すようにジャンパー線Ｊと
半田付けＨにて行なうことができるが、接合突起Ｍと接合孔Ｇの嵌合が確保されているた
め、ジャンパー線Ｊを廃止することもできる。実施例の導電箔ＤＨは、銅箔で形成してい
る。
【００３６】
本発明では、単位基板Ａ、Ｂ、Ｃ相互の接合部分の電気的接続が十分となる構成によっ
て、このジャンパー線Ｊを全く省略しても、十分な電気的接続が維持できる構成を提案し
ている。以下この構成を説明する。
【００３７】
一方の単位基板（例えばＡ）の各列のＬＥＤ２の配線パターンの導電箔ＤＨは、図３及
び図４に示すように、接合端部にまで延びた接合端部分ＤＨ１を形成している。また、他
方の単位基板（例えばＢ）の各列のＬＥＤ２の配線パターンの導電箔ＤＨは、図３及び図
４に示すように、接合端部にまで延びた接合端部分ＤＨ２を形成している。この導電箔Ｄ
Ｈの双方の接合端部分ＤＨ１とＤＨ２は、配線パターンの導電箔ＤＨが形成されたＬＥＤ
基板３の裏側（照明側面３Ｐの反対側）のみでもよい。この場合は、接合突起Ｍと接合孔
Ｇが嵌合して一方の単位基板（例えばＡ）と他方の単位基板（例えばＢ）とが接合された
状態で、近接または接触状態となる導電箔ＤＨの接合端部分ＤＨ１とＤＨ２とを、図２に
示すように半田付けＨにて接続する。
【００３８】
本発明では、一方の単位基板（例えばＡ）と他方の単位基板（例えばＢ）との接合強度
アップの手段として、図３に一部拡大として示すように、一方の単位基板（例えばＡ）の
導電箔ＤＨの端部分ＤＨ１は、一方の単位基板（例えばＡ）の接合端部面ＴＭから照明側
面３Ｐに一部が掛かるように、接合端部面ＴＭを覆うように形成し、接合端部面ＴＭを覆
う部分に窪みＫを形成する状態である。また、他方の単位基板（例えばＢ）の導電箔ＤＨ
の端部分ＤＨ２は、他方の単位基板（例えばＢ）の接合端部面ＴＭから照明側面３Ｐに一
部が掛かるように、接合端部面ＴＭを覆うように形成し、接合端部面ＴＭを覆う部分に窪
みＫを形成する状態である。このような形態は、一方の単位基板（例えばＡ）と他方の単
位基板（例えばＢ）との接合端部面ＴＭに、導電箔ＤＨの一部分が存在するスルーホール
が窪みＫによって形成された状態となる。
【００３９】
この構成によって、接合突起Ｍと接合孔Ｇが嵌合して一方の単位基板（例えばＡ）と他
方の単位基板（例えばＢ）とが接合された状態で、近接または接触状態となる導電箔ＤＨ
の接合端部分ＤＨ１とＤＨ２とを半田付けＨする。このとき一方の単位基板（例えばＡ）
と他方の単位基板（例えばＢ）の接合端部面ＴＭの窪みＫに半田Ｈが流れ込み、窪みＫ内
でも半田付けＨがなされる状態となり、接合端部分ＤＨ１とＤＨ２とが半田Ｈによって広
範囲に接合される。このため、一方の単位基板（例えばＡ）と他方の単位基板（例えばＢ
）の接合部分の強度が増し、この接合部分の補強効果が得られるものとなる。この構成に
よって、ジャンパー線Ｊを廃止しても、電気的接続の維持が十分なものとなる。
【００４０】
上記では、単位基板（例えばＡ、Ｂとする）相互の接合形態を図３及び図４に示してい
るが、一方の単位基板（例えばＡ）に入り口開口Ｅが奥部Ｆよりも狭い接合孔Ｇを備え、
他方の単位基板（例えばＢ）に接合孔Ｇに圧入嵌合する接合突起Ｍを備える構成を基本と
すれば、図３及び図４に示している形態に拘らず、他の形態とすることもできる。また、
単位基板Ｂ、Ｃ相互の接合形態も、上記同様である。
【産業上の利用可能性】
【００４１】
本発明に係るＬＥＤ照明装置１は、上記実施例に示した直管形ＬＥＤ照明装置１の構成
に限らず、本発明の技術範囲において種々の構成のＬＥＤ照明装置を包含するものである
。
【符号の説明】
【００４２】
１・・・・・ＬＥＤ照明装置
２・・・・・ＬＥＤ
３・・・・・ＬＥＤ基板
３Ａ・・・・ＬＥＤ基板３の長手方向に沿った両端部
３Ｂ・・・・ＬＥＤ基板３の長手方向端部
３Ｐ・・・・照明側面
４・・・・・管体
４Ａ・・・・溝
４Ｂ・・・・リブ
５・・・・・端子部
６・・・・・端部キャップ
６Ａ・・・・環状取り付け部
６Ｂ・・・・環状取り付け部
６Ｃ・・・・環状フランジ
６Ｄ・・・・切り欠き
６Ｅ・・・・ストッパ部
７・・・・・リード線
８・・・・・ＬＥＤ駆動用回路基板
９・・・・・ＡＣ／ＤＣ変換回路部
１０・・・・電圧制御部
１１Ａ・・・基板側プラグ
１１Ｂ・・・端子側プラグ
１４・・・・端子支持部材
１４Ａ・・・金属製外観部材
１５・・・・係止部
１５Ａ・・・第１係止部
１５Ｂ・・・第２係止部
１６・・・・隔壁
１６Ａ・・・孔
Ａ、Ｂ、Ｃ・・・単位基板
Ｅ・・・・・入り口開口
Ｆ・・・・・奥部
Ｇ・・・・・接合孔
Ｈ・・・・・半田または半田付け
Ｊ・・・・・ジャンパー線
Ｍ・・・・・接合突起
ＤＨ・・・・導電箔
ＤＨ１とＤＨ２・・・・接合端部分
Ｋ・・・・・窪み
ＴＭ・・・・接合端部面
【図１】
2012033321.tif 000003
【図２】
2012033321.tif 000004
【図３】
2012033321.tif 000005
【図４】
2012033321.tif 000006
【図５】
2012033321.tif 000007
【図６】
2012033321.tif 000008
【図７】
2012033321.tif 000009
【図８】
2012033321.tif 000010
【図９】
2012033321.tif 000011